(57)【要約】【課題】インクリボンのエンドマークが形成された位置から終端までの長さが短くても、エンドマークが検知された後、電源がオフ、オンに順次切り替わったときに、インクリボンが交換されているか否かを検知することが可能な印刷システムを提供する。【解決手段】印刷システム１では、エンドマーク検知機構１７での検知結果に基づいてエンドマークが検知されると、リボン巻取機構１６によって巻取ロールにインクリボンを巻取限界まで巻き取る全巻取動作を実行し、全巻取動作が完了すると、全巻取動作が完了していることを示す巻取完了情報を不揮発性メモリ１９に記憶する。また、印刷システム１では、電源がオフからオンに切り替わると、リボン巻取機構１６によってインクリボンを巻き取ってインクリボンの位置合わせを行う初期化動作を実行し、初期化動作が正常に完了しない場合に、不揮発性メモリ１９に巻取完了情報が記憶されているか否かを確認する。【選択図】図１
2015100939.tif 000002
【特許請求の範囲】
【請求項１】
インクリボンに塗布されたインクをカードに転写して印刷する印刷装置と、前記印刷装置が搭載される上位装置とを備え、
前記カードの片面の印刷に要する前記インクリボンの領域を１画面領域とすると、
前記インクリボンには、前記１画面領域が連続的に形成されるとともに、前記インクリボンの印刷可能領域の終端を検知するためのエンドマークが形成され、
前記印刷装置は、前記カードにインクが転写される前の前記インクリボンが巻回される供給ロールと、前記カードにインクが転写された後の前記インクリボンが巻き取られる巻取ロールと、前記巻取ロールを回転させて前記巻取ロールに前記インクリボンを巻き取るリボン巻取機構と、前記エンドマークを検知するためのエンドマーク検知機構と、不揮発性メモリを有するとともに前記リボン巻取機構および前記エンドマーク検知機構が接続される制御部とを備え、
前記上位装置は、前記制御部に接続される上位制御部を備え、
前記エンドマーク検知機構での検知結果に基づいて前記エンドマークが検知されると、前記上位制御部は、前記リボン巻取機構によって前記巻取ロールに前記インクリボンを巻取限界まで巻き取る全巻取動作を実行するための制御指令を前記制御部へ出力し、前記制御部は、前記全巻取動作を実行するとともに、前記全巻取動作が完了すると、前記全巻取動作が完了していることを示す巻取完了情報を前記不揮発性メモリに記憶し、
前記印刷装置の電源がオフからオンに切り替わると、前記上位制御部は、前記１画面領域が所定の基準位置に配置されるまで前記リボン巻取機構によって前記インクリボンを巻き取る初期化動作を実行するための制御指令を前記制御部に出力し、前記制御部は、前記初期化動作を実行し、
前記初期化動作が正常に完了しない場合に、前記上位制御部は、前記不揮発性メモリに前記巻取完了情報が記憶されているか否かを確認することを特徴とする印刷システム。
【請求項２】
インクリボンに塗布されたインクをカードの両面に順次転写して印刷する印刷装置と、前記印刷装置が搭載される上位装置とを備え、
前記カードの片面の印刷に要する前記インクリボンの領域を１画面領域とすると、
前記インクリボンには、前記１画面領域が連続的に形成されるとともに、前記インクリボンの最も終端側に配置される前記１画面領域よりも前記インクリボンの先端側に配置される前記１画面領域には、前記インクリボンの印刷可能領域の終端を検知するためのエンドマークが形成され、
前記印刷装置は、前記カードにインクが転写される前の前記インクリボンが巻回される供給ロールと、前記カードにインクが転写された後の前記インクリボンが巻き取られる巻取ロールと、前記巻取ロールを回転させて前記巻取ロールに前記インクリボンを巻き取るリボン巻取機構と、前記供給ロールから供給される前記インクリボンを加熱して前記カードに前記インクリボンのインクを転写し印刷するサーマルヘッドと、前記エンドマークを検知するためのエンドマーク検知機構と、不揮発性メモリを有するとともに前記リボン巻取機構、前記サーマルヘッドおよび前記エンドマーク検知機構が接続される制御部とを備え、
前記上位装置は、前記制御部に接続される上位制御部を備え、
前記カードの印刷中に前記エンドマーク検知機構での検知結果に基づいて前記エンドマークが検知されると、前記上位制御部は、前記エンドマークを検知したときの印刷動作であるマーク検知時印刷動作によって前記カードの両面への印刷が終了するのか、それとも、前記マーク検知時印刷動作によって前記カードの一方の面のみへの印刷が終了するのかを判断し、
前記マーク検知時印刷動作によって前記カードの両面への印刷が終了する場合には、前記上位制御部は、前記リボン巻取機構によって前記巻取ロールに前記インクリボンを巻取限界まで巻き取る全巻取動作を実行するための制御指令を前記制御部へ出力し、前記制御部は、前記全巻取動作を実行するとともに、前記全巻取動作が完了すると、前記全巻取動作が完了していることを示す巻取完了情報を前記不揮発性メモリに記憶し、
前記マーク検知時印刷動作によって前記カードの一方の面のみへの印刷が終了する場合には、前記上位制御部は、前記エンドマークよりも前記インクリボンの終端側に配置される前記１画面領域を使用して前記サーマルヘッドによって前記カードの他方の面への印刷を行う最終印刷を実行するための制御指令を前記制御部に出力し、前記制御部は、前記最終印刷を実行し、その後、前記上位制御部は、前記全巻取動作を実行するための制御指令を前記制御部へ出力し、前記制御部は、前記全巻取動作を実行するとともに、前記全巻取動作が完了すると、前記巻取完了情報を前記不揮発性メモリに記憶し、
前記印刷装置の電源がオフからオンに切り替わると、前記上位制御部は、前記１画面領域が所定の基準位置に配置されるまで前記リボン巻取機構によって前記インクリボンを巻き取る初期化動作を実行するための制御指令を前記制御部に出力し、前記制御部は、前記初期化動作を実行し、
前記初期化動作が正常に完了しない場合に、前記上位制御部は、前記不揮発性メモリに前記巻取完了情報が記憶されているか否かを確認することを特徴とする印刷システム。
【請求項３】
前記上位制御部は、前記初期化動作が正常に完了しない場合であって、かつ、前記不揮発性メモリに前記巻取完了情報が記憶されている場合に、交換されるべき前記インクリボンが交換されていないことを示すリボン交換エラー信号を生成することを特徴とする請求項１または２記載の印刷システム。
【請求項４】
前記上位制御部は、前記初期化動作が正常に完了すると、前記不揮発性メモリに記憶された前記巻取完了情報を消去する消去動作を実行するための制御指令を前記制御部に出力し、前記制御部は、前記消去動作を実行することを特徴とする請求項１から３のいずれかに記載の印刷システム。
【請求項５】
塗布されたインクがカードに転写される前のインクリボンが巻回される供給ロールと、前記カードにインクが転写された後の前記インクリボンが巻き取られる巻取ロールと、前記巻取ロールを回転させて前記巻取ロールに前記インクリボンを巻き取るリボン巻取機構を備え、
前記カードの片面の印刷に要する前記インクリボンの領域を１画面領域とすると、
前記インクリボンには、前記１画面領域が連続的に形成されるとともに、前記インクリボンの印刷可能領域の終端を検知するためのエンドマークが形成されている印刷システムの制御方法であって、
前記エンドマークを検知するためのエンドマーク検知機構での検知結果に基づいて前記エンドマークが検知されると、前記リボン巻取機構によって前記巻取ロールに前記インクリボンを巻取限界まで巻き取る全巻取動作を実行するとともに、前記全巻取動作が完了すると、前記全巻取動作が完了していることを示す巻取完了情報を不揮発性メモリに記憶し、
前記印刷システムの電源がオフからオンに切り替わると、前記１画面領域が所定の基準位置に配置されるまで前記リボン巻取機構によって前記インクリボンを巻き取る初期化動作を実行し、
前記初期化動作が正常に完了しない場合に、前記不揮発性メモリに前記巻取完了情報が記憶されているか否かを確認することを特徴とする印刷システムの制御方法。
【請求項６】
インクリボンを加熱してカードに前記インクリボンに塗布されたインクを転写し印刷するサーマルヘッドと、前記カードにインクが転写される前の前記インクリボンが巻回される供給ロールと、前記カードにインクが転写された後の前記インクリボンが巻き取られる巻取ロールと、前記巻取ロールを回転させて前記巻取ロールに前記インクリボンを巻き取るリボン巻取機構とを備え、
前記カードの片面の印刷に要する前記インクリボンの領域を１画面領域とすると、
前記インクリボンには、前記１画面領域が連続的に形成されるとともに、前記インクリボンの最も終端側に配置される前記１画面領域よりも前記インクリボンの先端側に配置される前記１画面領域には、前記インクリボンの印刷可能領域の終端を検知するためのエンドマークが形成され、
前記カードの両面に印刷を行う印刷システムの制御方法であって、
前記エンドマークを検知するためのエンドマーク検知機構での検知結果に基づいて前記カードの印刷中に前記エンドマークが検知されると、前記エンドマークを検知したときの印刷動作であるマーク検知時印刷動作によって前記カードの両面への印刷が終了するのか、それとも、前記マーク検知時印刷動作によって前記カードの一方の面のみへの印刷が終了するのかを判断し、
前記マーク検知時印刷動作によって前記カードの両面への印刷が終了する場合には、前記リボン巻取機構によって前記巻取ロールに前記インクリボンを巻取限界まで巻き取る全巻取動作を実行するとともに、前記全巻取動作が完了すると、前記全巻取動作が完了していることを示す巻取完了情報を不揮発性メモリに記憶し、
前記マーク検知時印刷動作によって前記カードの一方の面のみへの印刷が終了する場合には、前記エンドマークよりも前記インクリボンの終端側に配置される前記１画面領域を使用して前記サーマルヘッドによって前記カードの他方の面への印刷を行う最終印刷を実行してから、前記全巻取動作を実行するとともに、前記全巻取動作が完了すると、前記巻取完了情報を前記不揮発性メモリに記憶し、
前記印刷システムの電源がオフからオンに切り替わると、前記１画面領域が所定の基準位置に配置されるまで前記リボン巻取機構によって前記インクリボンを巻き取る初期化動作を実行し、
前記初期化動作が正常に完了しない場合に、前記不揮発性メモリに前記巻取完了情報が記憶されているか否かを確認することを特徴とする印刷システムの制御方法。
【発明の詳細な説明】
【技術分野】
【０００１】
本発明は、インクリボンに塗布されたインクをカードに転写して印刷する印刷システムに関する。また、本発明は、かかる印刷システムの制御方法に関する。
【背景技術】
【０００２】
従来、インクリボンをサーマルヘッドで加熱してインクリボンに塗布されたインクを印刷媒体に転写し印刷する熱転写型の印刷装置が知られている（たとえば、特許文献１参照）。特許文献１に記載の印刷装置で使用されるインクリボンには、リボンエンドを検出するためのエンドマークが形成されている。特許文献１に記載の印刷装置は、インクリボンの一端側が巻回される巻取軸と、インクリボンの他端側が巻回される送出軸と、エンドマークを検出するためのマーク検出手段とを備えている。
【０００３】
特許文献１に記載の印刷装置では、マーク検出手段は、インクリボンを介して対向配置される発光素子と受光素子とを備えており、受光素子には、エンドマークの検出情報を記憶する不揮発性の記憶装置と、インクリボンの交換を促す表示装置とが接続されている。記憶装置には、エンドマークの検出情報が記憶装置に記憶されているか否かを判別する判別手段が接続されている。また、送出軸の一端部には、スリット板が取り付けられており、このスリット板の周縁部分の一部は、凹状をなすセンサの発光素子と受光素子との間に配置されている。このセンサには、送出軸におけるインクリボンの巻径を計測する計測手段が接続されている。インクリボンの巻径を計測する際には、規定数のパルスがセンサで得られるまでインクリボンが巻き取られる。また、インクリボンの巻取時に得られたパルスのレベルの切替時間に基づいて、インクリボンの巻径が算出される。
【０００４】
特許文献１に記載の印刷装置では、マーク検出手段によってエンドマークが検出されると、インクリボンのエンド情報が記憶装置に記憶される。また、表示装置にインクリボンを交換すべき旨の情報が表示される。オペレータによってインクリボンが交換されると、印刷装置は、巻取軸を回転させインクリボンを所定量巻き取ってインクリボンの初期位置を設定する復帰動作を行う。このとき、判別手段は、記憶装置にエンド情報が記憶されているか否かを判別し、記憶装置にエンド情報が記憶されている場合には、復帰動作時に計測装置によって送出軸におけるインクリボンの巻径を計測する。計測された巻径が所定値以上であれば、印刷装置は、インクリボンの交換時に、新品のインクリボンに交換されたと判断する。一方、計測された巻径が所定値未満であれば、印刷装置は、インクリボンの交換時に、エンド状態にあるインクリボンが誤って再度セットされたと判断して、所定のエラー処理を実行する。
【０００５】
インクリボンの交換時に、エンド状態にあるインクリボンが誤って再度セットされると、その後、マーク検出手段によってエンドマークを検知することができないため、印刷媒体の印刷時に、インクが塗布されていないインクリボンの領域が使用されてしまい、印刷媒体が無駄になるという問題が生じる。しかしながら、特許文献１に記載の印刷装置では、インクリボン交換後の復帰動作において、記憶装置にエンド情報が記憶されているか否かを判別し、記憶装置にエンド情報が記憶されている場合に、送出軸におけるインクリボンの巻径を計測しているため、インクリボンの交換時に、新品のインクリボンに交換されたのか、それとも、エンド状態にあるインクリボンが誤って再度セットされたのかを検知することが可能になる。したがって、この印刷装置では、印刷媒体が無駄になるといった問題の発生を防止することが可能になる。
【先行技術文献】
【特許文献】
【０００６】
【特許文献１】特開２００４−７４４８４号公報
【発明の概要】
【発明が解決しようとする課題】
【０００７】
上述のように、特許文献１に記載の印刷装置では、インクリボンの交換時に、新品のインクリボンに交換されたのか、それとも、エンド状態にあるインクリボンが誤って再度セットされたのかを検知することが可能になる。また、この印刷装置では、復帰動作において、記憶装置にエンド情報が記憶されているか否かを判別し、記憶装置にエンド情報が記憶されている場合に、送出軸におけるインクリボンの巻径を計測しているため、エンドマークが検知された後に、インクリボンが交換されたか否かを検知することも可能である。また、この印刷装置では、不揮発性の記憶装置にエンド情報が記憶されているため、エンドマークが検出された後、電源がオフになり、その後、電源がオンになったときであっても、エンドマークが検知された後に、インクリボンが交換されたか否かを検知することも可能である。
【０００８】
しかしながら、特許文献１に記載の印刷装置では、所定量インクリボンを巻き取らないと、インクリボンの巻径を計測することができない。そのため、この印刷装置では、エンドマークが形成された位置からインクリボンの終端までの長さが短いと、インクリボンの巻径を計測することができない。すなわち、この印刷装置では、エンドマークが形成された位置からインクリボンの終端までの長さが短いと、エンドマークが検知された後に、インクリボンが交換されたか否かを検知することができない。
【０００９】
そこで、本発明の課題は、インクリボンのエンドマークが形成された位置からインクリボンの終端までの長さが短くても、エンドマークが検知された後、電源がオフ、オンに順次切り替わったときに、インクリボンが交換されているか否かを検知することが可能な印刷システム、および、印刷システムの制御方法を提供することにある。
【課題を解決するための手段】
【００１０】
上記の課題を解決するため、本発明の印刷システムは、インクリボンに塗布されたインクをカードに転写して印刷する印刷装置と、印刷装置が搭載される上位装置とを備え、カードの片面の印刷に要するインクリボンの領域を１画面領域とすると、インクリボンには、１画面領域が連続的に形成されるとともに、インクリボンの印刷可能領域の終端を検知するためのエンドマークが形成され、印刷装置は、カードにインクが転写される前のインクリボンが巻回される供給ロールと、カードにインクが転写された後のインクリボンが巻き取られる巻取ロールと、巻取ロールを回転させて巻取ロールにインクリボンを巻き取るリボン巻取機構と、エンドマークを検知するためのエンドマーク検知機構と、不揮発性メモリを有するとともにリボン巻取機構およびエンドマーク検知機構が接続される制御部とを備え、上位装置は、制御部に接続される上位制御部を備え、エンドマーク検知機構での検知結果に基づいてエンドマークが検知されると、上位制御部は、リボン巻取機構によって巻取ロールにインクリボンを巻取限界まで巻き取る全巻取動作を実行するための制御指令を制御部へ出力し、制御部は、全巻取動作を実行するとともに、全巻取動作が完了すると、全巻取動作が完了していることを示す巻取完了情報を不揮発性メモリに記憶し、印刷装置の電源がオフからオンに切り替わると、上位制御部は、１画面領域が所定の基準位置に配置されるまでリボン巻取機構によってインクリボンを巻き取る初期化動作を実行するための制御指令を制御部に出力し、制御部は、初期化動作を実行し、初期化動作が正常に完了しない場合に、上位制御部は、不揮発性メモリに巻取完了情報が記憶されているか否かを確認することを特徴とする。
【００１１】
また、上記の課題を解決するため、本発明の印刷システムの制御方法は、塗布されたインクがカードに転写される前のインクリボンが巻回される供給ロールと、カードにインクが転写された後のインクリボンが巻き取られる巻取ロールと、巻取ロールを回転させて巻取ロールにインクリボンを巻き取るリボン巻取機構を備え、カードの片面の印刷に要するインクリボンの領域を１画面領域とすると、インクリボンには、１画面領域が連続的に形成されるとともに、インクリボンの印刷可能領域の終端を検知するためのエンドマークが形成されている印刷システムの制御方法であって、エンドマークを検知するためのエンドマーク検知機構での検知結果に基づいてエンドマークが検知されると、リボン巻取機構によって巻取ロールにインクリボンを巻取限界まで巻き取る全巻取動作を実行するとともに、全巻取動作が完了すると、全巻取動作が完了していることを示す巻取完了情報を不揮発性メモリに記憶し、印刷システムの電源がオフからオンに切り替わると、１画面領域が所定の基準位置に配置されるまでリボン巻取機構によってインクリボンを巻き取る初期化動作を実行し、初期化動作が正常に完了しない場合に、不揮発性メモリに巻取完了情報が記憶されているか否かを確認することを特徴とする。
【００１２】
本発明では、エンドマーク検知機構での検知結果に基づいてエンドマークが検知されると、リボン巻取機構によって巻取ロールにインクリボンを巻取限界まで巻き取る全巻取動作を実行するとともに、全巻取動作が完了すると、全巻取動作が完了していることを示す巻取完了情報を不揮発性メモリに記憶している。そのため、本発明では、エンドマークが検知された後の電源オフ時にインクリボンが交換されていないと、その後、電源がオフからオンに切り替わって初期化動作が行われても、初期化動作時にリボン巻取機構によってインクリボンを巻き取ることができず、初期化動作が正常に完了しない。また、本発明では、初期化動作が正常に完了しない場合に、不揮発性メモリに巻取完了情報が記憶されているか否かを確認している。したがって、本発明では、インクリボンが交換されていないために初期化動作が正常に完了しないのか、それとも、他の原因で初期化動作が正常に完了しないのかを容易に検知することが可能になる。すなわち、本発明では、初期化動作が正常に完了しない場合に、不揮発性メモリに巻取完了情報が記憶されていることを確認することで、エンドマークが検知された後の電源オフ時にインクリボンが交換されていないことを検知することが可能になる。したがって、本発明では、特許文献１に記載の印刷装置のようにインクリボンの巻径を計測しなくても、エンドマークが検知された後、電源がオフ、オンに順次切り替わったときに、インクリボンが交換されているか否かを検知することが可能になる。その結果、本発明では、エンドマークが形成された位置からインクリボンの終端までの長さが短くても、エンドマークが検知された後、電源がオフ、オンに順次切り替わったときに、インクリボンが交換されているか否かを検知することが可能になる。
【００１３】
さらに、上記の課題を解決するため、本発明の印刷システムは、インクリボンに塗布されたインクをカードの両面に順次転写して印刷する印刷装置と、印刷装置が搭載される上位装置とを備え、カードの片面の印刷に要するインクリボンの領域を１画面領域とすると、インクリボンには、１画面領域が連続的に形成されるとともに、インクリボンの最も終端側に配置される１画面領域よりもインクリボンの先端側に配置される１画面領域には、インクリボンの印刷可能領域の終端を検知するためのエンドマークが形成され、印刷装置は、カードにインクが転写される前のインクリボンが巻回される供給ロールと、カードにインクが転写された後のインクリボンが巻き取られる巻取ロールと、巻取ロールを回転させて巻取ロールにインクリボンを巻き取るリボン巻取機構と、供給ロールから供給されるインクリボンを加熱してカードにインクリボンのインクを転写し印刷するサーマルヘッドと、エンドマークを検知するためのエンドマーク検知機構と、不揮発性メモリを有するとともにリボン巻取機構、サーマルヘッドおよびエンドマーク検知機構が接続される制御部とを備え、上位装置は、制御部に接続される上位制御部を備え、カードの印刷中にエンドマーク検知機構での検知結果に基づいてエンドマークが検知されると、上位制御部は、エンドマークを検知したときの印刷動作であるマーク検知時印刷動作によってカードの両面への印刷が終了するのか、それとも、マーク検知時印刷動作によってカードの一方の面のみへの印刷が終了するのかを判断し、マーク検知時印刷動作によってカードの両面への印刷が終了する場合には、上位制御部は、リボン巻取機構によって巻取ロールにインクリボンを巻取限界まで巻き取る全巻取動作を実行するための制御指令を制御部へ出力し、制御部は、全巻取動作を実行するとともに、全巻取動作が完了すると、全巻取動作が完了していることを示す巻取完了情報を不揮発性メモリに記憶し、マーク検知時印刷動作によってカードの一方の面のみへの印刷が終了する場合には、上位制御部は、エンドマークよりもインクリボンの終端側に配置される１画面領域を使用してサーマルヘッドによってカードの他方の面への印刷を行う最終印刷を実行するための制御指令を制御部に出力し、制御部は、最終印刷を実行し、その後、上位制御部は、全巻取動作を実行するための制御指令を制御部へ出力し、制御部は、全巻取動作を実行するとともに、全巻取動作が完了すると、巻取完了情報を不揮発性メモリに記憶し、印刷装置の電源がオフからオンに切り替わると、上位制御部は、１画面領域が所定の基準位置に配置されるまでリボン巻取機構によってインクリボンを巻き取る初期化動作を実行するための制御指令を制御部に出力し、制御部は、初期化動作を実行し、初期化動作が正常に完了しない場合に、上位制御部は、不揮発性メモリに巻取完了情報が記憶されているか否かを確認することを特徴とする。
【００１４】
また、上記の課題を解決するため、本発明の印刷システムの制御方法は、インクリボンを加熱してカードにインクリボンに塗布されたインクを転写し印刷するサーマルヘッドと、カードにインクが転写される前のインクリボンが巻回される供給ロールと、カードにインクが転写された後のインクリボンが巻き取られる巻取ロールと、巻取ロールを回転させて巻取ロールにインクリボンを巻き取るリボン巻取機構とを備え、カードの片面の印刷に要するインクリボンの領域を１画面領域とすると、インクリボンには、１画面領域が連続的に形成されるとともに、インクリボンの最も終端側に配置される１画面領域よりもインクリボンの先端側に配置される１画面領域には、インクリボンの印刷可能領域の終端を検知するためのエンドマークが形成され、カードの両面に印刷を行う印刷システムの制御方法であって、エンドマークを検知するためのエンドマーク検知機構での検知結果に基づいてカードの印刷中にエンドマークが検知されると、エンドマークを検知したときの印刷動作であるマーク検知時印刷動作によってカードの両面への印刷が終了するのか、それとも、マーク検知時印刷動作によってカードの一方の面のみへの印刷が終了するのかを判断し、マーク検知時印刷動作によってカードの両面への印刷が終了する場合には、リボン巻取機構によって巻取ロールにインクリボンを巻取限界まで巻き取る全巻取動作を実行するとともに、全巻取動作が完了すると、全巻取動作が完了していることを示す巻取完了情報を不揮発性メモリに記憶し、マーク検知時印刷動作によってカードの一方の面のみへの印刷が終了する場合には、エンドマークよりもインクリボンの終端側に配置される１画面領域を使用してサーマルヘッドによってカードの他方の面への印刷を行う最終印刷を実行してから、全巻取動作を実行するとともに、全巻取動作が完了すると、巻取完了情報を不揮発性メモリに記憶し、印刷システムの電源がオフからオンに切り替わると、１画面領域が所定の基準位置に配置されるまでリボン巻取機構によってインクリボンを巻き取る初期化動作を実行し、初期化動作が正常に完了しない場合に、不揮発性メモリに巻取完了情報が記憶されているか否かを確認することを特徴とする。
【００１５】
本発明では、エンドマーク検知機構での検知結果に基づいてエンドマークが検知されると、エンドマークを検知したときの印刷動作であるマーク検知時印刷動作によってカードの両面への印刷が終了する場合に、リボン巻取機構によって巻取ロールにインクリボンを巻取限界まで巻き取る全巻取動作を実行するとともに、全巻取動作が完了すると、全巻取動作が完了していることを示す巻取完了情報を不揮発性メモリに記憶している。また、本発明では、エンドマークが検知されると、マーク検知時印刷動作によってカードの一方の面のみへの印刷が終了する場合に、エンドマークよりもインクリボンの終端側に配置される１画面領域を使用してサーマルヘッドによってカードの他方の面への印刷を行う最終印刷を実行し、その後、全巻取動作を実行するとともに、全巻取動作が完了すると、巻取完了情報を不揮発性メモリに記憶している。そのため、本発明では、エンドマークが検知された後の電源オフ時にインクリボンが交換されていないと、その後、電源がオフからオンに切り替わって初期化動作が行われても、初期化動作時にリボン巻取機構によってインクリボンを巻き取ることができず、初期化動作が正常に完了しない。また、本発明では、初期化動作が正常に完了しない場合に、不揮発性メモリに巻取完了情報が記憶されているか否かを確認している。したがって、本発明では、インクリボンが交換されていないために初期化動作が正常に完了しないのか、それとも、他の原因で初期化動作が正常に完了しないのかを容易に検知することが可能になる。すなわち、本発明では、初期化動作が正常に完了しない場合に、不揮発性メモリに巻取完了情報が記憶されていることを確認することで、エンドマークが検知された後の電源オフ時にインクリボンが交換されていないことを検知することが可能になる。したがって、本発明では、特許文献１に記載の印刷装置のようにインクリボンの巻径を計測しなくても、エンドマークが検知された後、電源がオフ、オンに順次切り替わったときに、インクリボンが交換されているか否かを検知することが可能になる。すなわち、本発明では、エンドマークが形成された位置からインクリボンの終端までの長さが短くても、エンドマークが検知された後、電源がオフ、オンに順次切り替わったときに、インクリボンが交換されているか否かを検知することが可能になる。
【００１６】
本発明において、たとえば、上位制御部は、初期化動作が正常に完了しない場合であって、かつ、不揮発性メモリに巻取完了情報が記憶されている場合に、交換されるべきインクリボンが交換されていないことを示すリボン交換エラー信号を生成する。
【００１７】
本発明において、上位制御部は、初期化動作が正常に完了すると、不揮発性メモリに記憶された巻取完了情報を消去する消去動作を実行するための制御指令を制御部に出力し、制御部は、消去動作を実行することが好ましい。このように構成すると、エンドマークが検知された後、インクリボンが交換されて初期化動作が正常に完了するまで、不揮発性メモリに巻取完了情報を確実に保持し続けることが可能になる。
【発明の効果】
【００１８】
以上のように、本発明では、インクリボンのエンドマークが形成された位置からインクリボンの終端までの長さが短くても、エンドマークが検知された後、電源がオフ、オンに順次切り替わったときに、インクリボンが交換されているか否かを検知することが可能になる。
【図面の簡単な説明】
【００１９】
【図１】本発明の実施に形態にかかる印刷システムの概略構成を示すブロック図である。
【図２】図１に示す印刷装置の機械的な概略構成を側面から説明するための図である。
【図３】図２に示すインクリボンの終端側部分の平面図である。
【図４】図１に示す印刷システムにおいてエンドマークが検知されたときの制御フローの一例を示すフローチャートである。
【図５】図１に示す印刷システムにおいて電源がオフからオンに切り替わったときの制御フローの一例を示すフローチャートである。
【図６】本発明の他の形態にかかる印刷システムにおいてエンドマークが検知されたときの制御フローの一例を示すフローチャートである。
【発明を実施するための形態】
【００２０】
以下、図面を参照しながら、本発明の実施の形態を説明する。
【００２１】
（印刷システムの構成）
図１は、本発明の実施に形態にかかる印刷システム１の概略構成を示すブロック図である。図２は、図１に示す印刷装置５の機械的な概略構成を側面から説明するための図である。図３は、図２に示すインクリボン３の終端側部分の平面図である。
【００２２】
本形態の印刷システム１は、カード２に文字、記号および図形等の画像を印刷するためのシステムである。具体的には、印刷システム１は、カード２の片面のみに印刷を行うためのシステムである。この印刷システム１は、インクリボン３に塗布されたインクをカード２に転写して印刷する熱転写方式の印刷装置５と、印刷装置５が搭載されるカード発行装置等の上位装置６とを備えている。
【００２３】
印刷装置５は、カード２にインクが転写される前のインクリボン３が巻回される供給ロール９とカード２にインクが転写された後のインクリボン３が巻き取られる巻取ロール１０とを有するインクリボンカートリッジ１１（以下、「カートリッジ１１」とする。）と、カートリッジ１１が着脱可能に取り付けられる本体部１２とから構成されている。また、印刷装置５は、カード２を搬送する複数の搬送ローラ１３およびパッドローラ１４と、供給ロール９から供給されるインクリボン３を加熱してカード２にインクリボン３のインクを転写し印刷するサーマルヘッド１５と、巻取ロール１０を回転させて巻取ロール１０にインクリボン３を巻き取るリボン巻取機構１６（図１参照）と、インクリボン３に形成される後述のエンドマーク３ｄを検知するためのエンドマーク検知機構１７とを備えている。
【００２４】
また、印刷装置５は、印刷装置５を制御する制御部１８を備えている。制御部１８は、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）等の不揮発性メモリ１９を備えている。また、制御部１８には、サーマルヘッド１５、リボン巻取機構１６（具体的には、後述のリボン巻取モータ３３）およびエンドマーク検知機構１７が接続されている。上位装置６は、上位装置６を制御する上位制御部２０を備えている。上位制御部２０は、制御部１８に接続されている。
【００２５】
カード２は、たとえば、厚さが０．７〜０．８ｍｍ程度の塩化ビニール製のカードであり、略長方形状に形成されている。このカード２の表面には、たとえば、磁気データが記録される磁気ストライプが形成されている。なお、カード２の内部に、ＩＣチップや通信用のアンテナが内蔵されても良い。また、カード２は、厚さが０．１８〜０．３６ｍｍ程度のＰＥＴ（ポリエチレンテレフタレート）カードであっても良いし、所定の厚さの紙カード等であっても良い。
【００２６】
インクリボン３は、帯状のフィルムにインクが塗布されることで形成されている。このインクリボン３は、カード２に転写される黒色のインクの層であるインク層が形成されるインク領域３ａと、カード２に転写されたインクの表面を覆う透明なオーバーコート材の層であるオーバーコート領域３ｂとを備えている。また、本形態では、１つのインク領域３ａと１つのオーバーコート領域３ｂとによって、カード２の片面の印刷が行われる。すなわち、１つのインク領域３ａと１つのオーバーコート領域３ｂとによって、カード２の片面の印刷に要するインクリボン３の領域である１画面領域３ｃが構成されている。
【００２７】
インク領域３ａとオーバーコート領域３ｂとは、帯状に形成されるインクリボン３の長手方向において、交互に配列されている。すなわち、インクリボン３には、１画面領域３ｃが連続的に形成されている。インクリボン３の長手方向におけるインク領域３ａの幅とオーバーコート領域３ｂの幅とは略等しくなっている。また、インクリボン３の長手方向におけるインク領域３ａの幅およびオーバーコート領域３ｂの幅は、カード２の長手方向の幅と略等しくなっている。
【００２８】
インクリボン３の最も終端側に配置される１画面領域３ｃ（すなわち、供給ロール９の最も中心側に配置される１画面領域３ｃ）よりもインクリボン３の先端側に配置される１画面領域３ｃには、インクリボン３の印刷可能領域の終端を検知するためのエンドマーク３ｄが形成されている。具体的には、最も終端側に配置される１画面領域３ｃの１つ手前の１画面領域３ｃを構成するオーバーコート領域３ｂにエンドマーク３ｄが形成されている。このエンドマーク３ｄは、たとえば、黒色のインク層によって構成されている。また、エンドマーク３ｄは、インクリボン３の長手方向に直交するインクリボン３の幅方向に細長い長方形状に形成されている。
【００２９】
このように、インクリボン３では、最も終端側に配置される１画面領域３ｃの１つ手前の１画面領域３ｃを構成するオーバーコート領域３ｂにエンドマーク３ｄが形成されているため、仮に、印刷装置５においてカード２の両面に印刷が行われるとしても、カード２の片面のみの印刷終了後にインクリボン３を交換することなく、カード２の両面の印刷を終了させることが可能になる。すなわち、カード２の両面に印刷が行われる場合、エンドマーク３ｄが形成される１画面領域３ｃよりもインクリボン３の終端側にさらに１個の１画面領域３ｃがないと、エンドマーク３ｄを検知したときの印刷動作によってカード２の一方の面のみの印刷が終了しているが、他方の面の印刷が終了していないときに、インクリボン３を交換しないと、カード２の両面の印刷を終了させることはできないが、エンドマーク３ｄが形成される１画面領域３ｃよりもインクリボン３の終端側にさらに１個の１画面領域３ｃが形成されていると、カード２の片面のみの印刷終了後にインクリボン３を交換することなく、この１個の１画面領域３ｃを用いてカード２の両面の印刷を終了させることが可能になる。したがって、このインクリボン３は、カード２の片面のみの印刷を行う印刷装置５でも、カード２の両面の印刷を行う印刷装置５でも使用することが可能である。
【００３０】
なお、以下の説明では、図２に示すように、互いに直交する３方向のそれぞれをＸ方向、Ｙ方向およびＺ方向とする。また、Ｘ方向を「前後方向」、Ｙ方向を「左右方向」、Ｚ方向を「上下方向」とし、Ｚ１方向側を「上」側、Ｚ２方向側を「下」側とする。本形態では、Ｚ方向が鉛直方向と一致するように印刷装置５が設置されている。また、本形態では、略長方形状に形成されるカード２の長手方向が前後方向（Ｘ方向）と略一致するように、かつ、カード２の厚み方向が上下方向（Ｚ方向）と略一致するように、カード２は、前後方向に搬送される。
【００３１】
本体部１２は、上側に配置される第１筺体２３と、下側に配置される第２筺体２４とから構成される筺体２５を備えている。第２筺体２４の前上端側には、左右方向を軸方向として配置される軸２６が取り付けられている。第１筺体２３の前端側は、軸２６に回動可能に保持されており、第１筺体２３は、軸２６を中心に第２筺体２４に対して回動可能となっている。また、第２筺体２４に対して第１筺体２３を回動させることで、筺体２５へのカートリッジ１１の着脱が可能になる。
【００３２】
本体部１２の内部には、カード２が搬送されるカード搬送路２７が形成されている。カード搬送路２７は、前後方向で印刷装置５を貫通するように、かつ、直線状に形成されている。複数の搬送ローラ１３およびパッドローラ１４は、カード搬送路２７に臨むように、筺体２５に取り付けられている。複数の搬送ローラ１３は、プーリやタイミングベルト等から構成される動力伝達機構（図示省略）を介してモータ（図示省略）に連結されている。パッドローラ１４は、搬送ローラ１３に対向配置されるとともに、搬送ローラ１３に向かって付勢されている。
【００３３】
サーマルヘッド１５は、印刷装置５の前後方向の略中心に、かつ、カード搬送路２７の上側に配置されている。このサーマルヘッド１５は、ヘッド保持部材２８の下端側に固定されている。ヘッド保持部材２８は、カード搬送路２７を通過するカード２に近づく方向およびこのカード２から離れる方向へサーマルヘッド１５を移動させるヘッド移動機構（図示省略）に連結されている。サーマルヘッド１５の下方には、プラテンローラ２９が配置されている。プラテンローラ２９は、動力伝達機構（図示省略）を介して搬送ローラ１３を駆動するモータに連結されており、搬送ローラ１３と一緒に回転する。
【００３４】
カード２およびインクリボン３は、上下方向において、サーマルヘッド１５とプラテンローラ２９との間を通過する。また、サーマルヘッド１５は、ヘッド移動機構から伝達される動力によって、カード搬送路２７に対して（具体的には、プラテンローラ２９に対して）上下動する。このサーマルヘッド１５は、インクリボン３を介してカード２の上面に所定の当接力で当接して、カード搬送路２７を通過するカード２の上面に印刷を行う。
【００３５】
前後方向におけるサーマルヘッド１５の両側等には、印刷装置５内でインクリボン３を案内するためのガイド軸３０が配置されている。ガイド軸３０は、左右方向を軸方向として第１筺体２３または第２筺体２４に固定されている。このガイド軸３０は、カード搬送路２７の上方に配置されている。
【００３６】
カートリッジ１１は、カード搬送路２７の上側に配置され、上側から筺体２５に着脱可能となっている。供給ロール９および巻取ロール１０は、その軸方向と左右方向とが一致するように配置されている。また、供給ロール９は、サーマルヘッド１５よりも前側に配置されており、供給ロール９には、サーマルヘッド１５に向かって供給される未使用のインクリボン３が巻回されている。巻取ロール１０は、サーマルヘッド１５よりも後ろ側に配置されており、巻取ロール１０には、インクが転写された後の使用済みのインクリボン３が巻き取られる。
【００３７】
リボン巻取機構１６は、歯車等の動力伝達機構（図示省略）と、この動力伝達機構を介して巻取ロール１０が連結されるリボン巻取モータ３３（図１参照）とを備えている。リボン巻取モータ３３には、インクリボン３に当接してインクリボン３を送るリボン送りローラ３４が動力伝達機構（図示省略）を介して連結されている。リボン送りローラ３４は、サーマルヘッド１５の斜め後ろ上側に配置されており、サーマルヘッド１５と巻取ロール１０との間に配置されている。リボン送りローラ３４には、パッドローラ３５が対向配置されている。パッドローラ３５は、リボン送りローラ３４に向かって付勢されている。
【００３８】
エンドマーク検知機構１７は、発光素子と受光素子とを備える光学式のセンサである。エンドマーク検知機構１７を構成する発光素子と受光素子とは、インクリボン３を挟むように互いに対向配置されている。また、エンドマーク検知機構１７は、供給ロール９の上側に配置されており、エンドマーク検知機構１７の発光素子と受光素子とは、供給ロール９から繰り出された直後のインクリボン３を挟むように配置されている。透明なオーバーコート領域３ｂに形成されたエンドマーク３ｄがこの発光素子と受光素子との間を通過すると、発光素子から受光素子へ向かう光が遮られるため、エンドマーク検知機構１７の受光素子の受光量に基づいて、エンドマーク３ｄが検知される。
【００３９】
また、本形態のエンドマーク検知機構１７は、互いに対向配置される２対の発光素子および受光素子を備えており、２対の発光素子および受光素子は、インクリボン３の長手方向で隣接するように配置されている。また、本形態の印刷装置５は、一方の発光素子から受光素子へ向かう光がインク領域３ａによって遮られ、かつ、このインク領域３ａに隣接するオーバーコート領域３ｂを他方の発光素子から受光素子へ向かう光が通過するときに、インクリボン３の１画面領域３ｃが所定の基準位置に配置されるように構成されている。すなわち、エンドマーク検知機構１７によってオーバーコート領域３ｂとインク領域３ａとの境界３ｅが検知されたときに、１画面領域３ｃが基準位置に配置されるように印刷装置５が構成されている。本形態のエンドマーク検知機構１７は、カード２への印刷開始時に１画面領域３ｃが基準位置に配置されているか否かを検知する機能も果たしており、エンドマーク検知機構１７での検知結果に基づいて、インクリボン３の位置合わせが行われる。
【００４０】
印刷システム１では、印刷システム１の電源がオフからオンに切り替わると（すなわち、印刷装置５の電源がオフからオンに切り替わると）、１画面領域３ｃが基準位置に配置されるまでリボン巻取機構１６によってインクリボン３を巻き取る初期化動作が実行される。すなわち、印刷システム１の電源が投入されると、インクリボン３の位置合わせが行われる。具体的には、上位制御部２０が初期化動作を実行するための制御指令を制御部１８に出力し、制御部１８がリボン巻取モータ３３を駆動させて初期化動作を実行する。この初期化動作では、エンドマーク検知機構１７での検知結果に基づいて、１画面領域３ｃが基準位置に配置されるまで、インクリボン３を巻き取る。また、初期化動作では、サーマルヘッド１５の位置合わせ等の所定の動作を実行する。初期化動作が正常に完了すると、印刷システム１は、カード２への印刷が可能な状態になる。
【００４１】
（エンドマーク検知時の印刷システムの制御方法）
図４は、図１に示す印刷システム１においてエンドマーク３ｄが検知されたときの制御フローの一例を示すフローチャートである。図５は、図１に示す印刷システム１において電源がオフからオンに切り替わったときの制御フローの一例を示すフローチャートである。
【００４２】
印刷システム１は、カード２への印刷中に、エンドマーク検知機構１７での検知結果に基づいてエンドマーク３ｄが検知されると、そのカード２への印刷終了後に、リボン巻取機構１６によって巻取ロール１０にインクリボン３を巻取限界まで巻き取る全巻取動作を実行する（ステップＳ１）。具体的には、カード２への印刷中にエンドマーク３ｄが検知されると、そのカード２への印刷終了後に、上位制御部２０が全巻取動作を実行するための制御指令を制御部１８へ出力し、制御部１８が全巻取動作を実行する。また、印刷システム１は、全巻取動作が完了すると、全巻取動作が完了していることを示す巻取完了情報を不揮発性メモリ１９に記憶する（ステップＳ２）。具体的には、全巻取動作が完了すると、制御部１８が巻取完了情報を不揮発性メモリ１９に記憶する。
【００４３】
なお、電源がオフからオンに切り替わったときの初期化動作時のインクリボン３の巻取動作中に、エンドマーク３ｄが検知されると、印刷システム１は、全巻取動作を実行するとともに、全巻取動作が完了すると、巻取完了情報を不揮発性メモリ１９に記憶する。また、制御部１８は、リボンエンドエラー信号を生成して、上位制御部２０へ出力する。
【００４４】
また、印刷システム１は、電源がオフからオンに切り替わると、初期化動作を実行する（ステップＳ１１）。その後、上位制御部２０は、この初期化動作が正常に完了したか否かを判断する（ステップＳ１２）。初期化動作が正常に完了すると（ステップＳ１２において“Ｙｅｓ”であると）、カード２への印刷が可能な状態になる。一方、初期化動作が正常に完了しない場合には（ステップＳ１２において“Ｎｏ”の場合には）、上位制御部２０は、不揮発性メモリ１９に巻取完了情報が記憶されているか否か確認する（ステップＳ１３）。
【００４５】
全巻取動作が完了している場合、エンドマーク３ｄが検知された後の電源オフ時にインクリボン３が交換されていないと（具体的には、カートリッジ１１が交換されていないと）、その後、電源がオンに切り替わって初期化動作が行われても、初期化動作時にリボン巻取機構１６によってインクリボン３を巻き取ってインクリボン３の位置合わせをすることができず、初期化動作が正常に完了しない。そのため、ステップＳ１３で、全巻取動作が完了していることを示す巻取完了情報が不揮発性メモリ１９に記憶されている場合（ステップＳ１３で“Ｙｅｓ”の場合）には、エンドマーク３ｄが検知された後の電源オフ時にインクリボン３が交換されていないと判断されて、リボン交換エラーとなる。この場合には、たとえば、上位制御部２０は、交換されるべきインクリボン３が交換されていないことを示すリボン交換エラー信号を生成する。また、上位制御部２０は、このリボン交換エラー信号に基づいて、インクリボン３の交換を促す所定の表示を表示部（図示省略）に表示する等の所定の処理を実行する。
【００４６】
なお、インクリボン３の交換を促す表示を確認したオペレータは、印刷システム１の電源をオフにして、インクリボン３を交換する。また、インクリボン３の交換後に印刷システム１の電源をオンにする。印刷システム１の電源がオンになると、ステップＳ１１の初期化動作が実行される。
【００４７】
一方、ステップＳ１３で、不揮発性メモリ１９に巻取完了情報が記憶されていない場合（すなわち、全巻取動作が行われていない場合、ステップＳ１３で“Ｎｏ”の場合）には、印刷システム１の電源がオフになるときに、エンドマーク３ｄが検知される前のインクリボン３が印刷装置５にセットされており、初期化動作時にリボン巻取機構１６によってインクリボン３を巻き取ってインクリボン３の位置合わせをすることが可能であるため、その他の原因で初期化動作が正常に完了しないと判断されてその他のエラーになる。この場合には、たとえば、上位制御部２０は、所定のエラー信号を生成し、このエラー信号に基づく所定の処理を実行する。
【００４８】
なお、初期化動作が正常に完了すると、不揮発性メモリ１９に記憶された巻取完了情報は消去される。具体的には、初期化動作が正常に完了すると、上位制御部２０が不揮発性メモリ１９に記憶された巻取完了情報を消去する消去動作を実行するための制御指令を制御部１８に出力し、制御部１８が消去動作を実行する。
【００４９】
（本形態の主な効果）
以上説明したように、本形態では、エンドマーク検知機構１７での検知結果に基づいてエンドマーク３ｄが検知されると、印刷システム１は、リボン巻取機構１６によって巻取ロール１０にインクリボン３を巻取限界まで巻き取る全巻取動作を実行するとともに、全巻取動作が完了すると、巻取完了情報を不揮発性メモリ１９に記憶している。そのため、本形態では、上述のように、エンドマーク３ｄが検知された後の電源オフ時にインクリボン３が交換されていないと、その後、電源がオフからオンに切り替わって初期化動作が行われても、初期化動作時にリボン巻取機構１６によってインクリボン３を巻き取ることができず、初期化動作が正常に完了しない。
【００５０】
また、本形態では、印刷システム１は、初期化動作が正常に完了しない場合に、不揮発性メモリ１９に巻取完了情報が記憶されているか否かを確認している。したがって、本形態では、インクリボン３が交換されていないために初期化動作が正常に完了しないのか、それとも、他の原因で初期化動作が正常に完了しないのかを容易に検知することが可能になる。すなわち、本形態では、初期化動作が正常に完了しない場合に、不揮発性メモリ１９に巻取完了情報が記憶されていることを確認することで、エンドマーク３ｄが検知された後の電源オフ時にインクリボン３が交換されていないことを検知することが可能になる。したがって、本形態では、インクリボン３の巻径を計測しなくても、エンドマーク３ｄが検知された後、電源がオフ、オンに順次切り替わったときに、インクリボン３が交換されているか否かを検知することが可能になる。すなわち、本形態では、エンドマーク３ｄが形成された位置からインクリボン３の終端までの長さが短くても、エンドマーク３ｄが検知された後、電源がオフ、オンに順次切り替わったときに、インクリボン３が交換されているか否かを検知することが可能になる。
【００５１】
本形態では、初期化動作が正常に完了すると、不揮発性メモリ１９に記憶された巻取完了情報が消去されている。そのため、本形態では、エンドマーク３ｄが検知された後、インクリボン３が交換されて初期化動作が正常に完了するまで、不揮発性メモリ１９に巻取完了情報を確実に保持し続けることが可能になる。
【００５２】
なお、本形態では、最も終端側に配置される１画面領域３ｃの１つ手前の１画面領域３ｃを構成するオーバーコート領域３ｂにエンドマーク３ｄが形成されている。そのため、エンドマーク３ｄが検知された後の電源オフ時にインクリボン３が交換されないまま印刷システム１の電源がオフからオンに切り替わって、初期化動作が行われると、初期化動作時に、エンドマーク３ｄが形成されるオーバーコート領域３ｂとこのオーバーコート領域３ｂよりもインクリボン３の終端側に配置されるインク領域３ａとの境界３ｅがエンドマーク検知機構１７に検知されて（すなわち、１画面領域３ｃが基準位置に配置されたことが検知されて）、初期化動作が正常に完了してしまうおそれがある。また、初期化動作が正常に完了すると、カード２への印刷が可能な状態になるが、これ以降の印刷システム１の動作では、エンドマーク３ｄを検知することができないため、カード２の印刷時に、インクが塗布されていないインクリボン３の領域が使用されてしまい、カード２が無駄になるおそれがある。しかしながら、本形態では、エンドマーク３ｄが検知されると、巻取ロール１０にインクリボン３を巻取限界まで巻き取る全巻取動作が実行されるため、このような問題は生じない。
【００５３】
（他の実施の形態）
上述した形態は、本発明の好適な形態の一例ではあるが、これに限定されるものではなく本発明の要旨を変更しない範囲において種々変形実施が可能である。
【００５４】
上述した形態では、最も終端側に配置される１画面領域３ｃの１つ手前の１画面領域３ｃを構成するオーバーコート領域３ｂにエンドマーク３ｄが形成されている。この他にも
たとえば、最も終端側に配置される１画面領域３ｃのオーバーコート領域３ｂにエンドマーク３ｄが形成されても良い。また、最も終端側に配置される１画面領域３ｃの２つ以上手前の１画面領域３ｃを構成するオーバーコート領域３ｂにエンドマーク３ｄが形成されても良い。
【００５５】
上述した形態では、印刷システム１は、カード２の片面のみに印刷を行うためのシステムである。この他にもたとえば、印刷システム１は、カード２の両面に印刷を行うためのシステムであっても良い。この場合には、カード２への印刷中に、エンドマーク検知機構１７での検知結果に基づいてエンドマーク３ｄが検知されると、印刷システム１は、図６に示すように、エンドマーク３ｄを検知したときの印刷動作であるマーク検知時印刷動作によってカード２の両面への印刷が終了するのか、それとも、マーク検知時印刷動作によってカード２の一方の面のみへの印刷が終了するのかを判断する（ステップＳ２１）。具体的には、カード２への印刷中にエンドマーク３ｄが検知されると、上位制御部２０は、
マーク検知時印刷動作によってカード２の両面への印刷が終了するのか、それとも、マーク検知時印刷動作によってカード２の一方の面のみへの印刷が終了するのかを判断する。
【００５６】
ステップＳ２１において、マーク検知時印刷動作によってカード２の両面への印刷が終了する場合には、印刷システム１は、上述の全巻取動作を実行するとともに（ステップＳ２２）、全巻取動作が完了すると、全巻取動作が完了していることを示す巻取完了情報を不揮発性メモリ１９に記憶する（ステップＳ２３）。具体的には、ステップＳ２３において、上位制御部２０が全巻取動作を実行するための制御指令を制御部１８へ出力し、制御部１８が全巻取動作を実行するとともに、全巻取動作が完了すると、制御部１８が巻取完了情報を不揮発性メモリ１９に記憶する。
【００５７】
一方、ステップＳ２１において、マーク検知時印刷動作によってカード２の一方の面のみへの印刷が終了する場合には、印刷システム１は、エンドマーク３ｄよりもインクリボン３の終端側に配置される１画面領域３ｃを使用してサーマルヘッド１５によってカード２の他方の面への印刷を行う最終印刷を実行する（ステップＳ２４）。具体的には、ステップＳ２４において、上位制御部２０が最終印刷を実行するための制御指令を制御部１８に出力し、制御部１８が最終印刷を実行する。その後、ステップＳ２２へ進んで、印刷システム１が全巻取動作を実行するとともに、全巻取動作が完了すると、ステップＳ２３へ進んで、印刷システム１が巻取完了情報を不揮発性メモリ１９に記憶する。この場合であっても、上述した形態と同様の効果を得ることができる。
【００５８】
なお、マーク検知時印刷動作によってカード２の両面への印刷が終了する場合、エンドマーク３ｄが検知された後の電源オフ時にインクリボン３が交換されないまま印刷システム１の電源がオフからオンに切り替わって、初期化動作が行われると、上述した形態と同様に、初期化動作が正常に完了してしまうおそれがあり、そのため、カード２の印刷時に、インクが塗布されていないインクリボン３の領域が使用されて、カード２が無駄になるおそれがある。しかしながら、この変形例でも、マーク検知時印刷動作によってカード２の両面への印刷が終了する場合、エンドマーク３ｄが検知されると、巻取ロール１０にインクリボン３を巻取限界まで巻き取る全巻取動作が実行されるため、このような問題は生じない。
【００５９】
上述した形態では、インク領域３ａに黒色のインク層が形成されているが、インク領域３ａに黒色以外のインク層が形成されても良い。また、上述した形態では、インクリボン３は、単色（具体的には、黒色）の印刷のみが可能なものであるが、インクリボン３は、複数色の印刷が可能なものであっても良い。さらに、上述した形態では、インクリボン３は、オーバーコート領域３ｂを備えているが、インクリボン３は、オーバーコート領域３ｂをいなくても良い。この場合には、インク領域３ａが、カード２の片面の印刷に要する１画面領域となる。
【符号の説明】
【００６０】
１  印刷システム
２  カード
３  インクリボン
３ｃ  １画面領域
３ｄ  エンドマーク
５  印刷装置
６  上位装置
９  供給ロール
１０  巻取ロール
１５  サーマルヘッド
１６  リボン巻取機構
１７  エンドマーク検知機構
１８  制御部
１９  不揮発性メモリ
２０  上位制御部
【図１】
2015100939.tif 000003
【図２】
2015100939.tif 000004
【図３】
2015100939.tif 000005
【図４】
2015100939.tif 000006
【図５】
2015100939.tif 000007
【図６】
2015100939.tif 000008